(57)【要約】【課題】反射防止体（例えば円偏光板）の損傷や加熱による劣化を抑制する。【解決手段】表示体Ｄの表示領域Ａ内には、発光層１５からの出射光を観察側に反射する光反射層１１が形成される。保護基板４４は、表示体Ｄの観察側の表面から離間した位置に配置されて表示領域Ａに対向する光透過性の板材である。反射防止体４６は、観察側から入射して光反射層１１にて反射した外光の観察側への出射を抑制する。反射防止体４６は、保護基板４４のうち表示体Ｄとの対向面に貼着されて表示体Ｄの表面から離間する。【選択図】図２
2009020140.tif 000002
【特許請求の範囲】
【請求項１】
電気光学層からの出射光を観察側に反射する光反射層が表示領域内に形成された表示体と、
前記表示体の表面から離間した位置に配置されて前記表示領域に対向する光透過性の保護基板と、
前記保護基板のうち前記表示体との対向面に貼着されて前記表示体の表面から離間する板材であって、観察側から入射して前記光反射層で反射した外光の前記観察側への出射を抑制する反射防止体と
を具備する表示装置。
【請求項２】
前記反射防止体の表面および前記表示体における前記反射防止体との対向面のうちの少なくともひとつに形成されたＡＲコート層
を具備する請求項１の表示装置。
【請求項３】
前記反射防止体の表面と前記表示体における前記反射防止体との対向面との間隙に充填された光透過性の充填材
を具備する請求項１の表示装置。
【請求項４】
前記保護基板のうち前記表示体とは反対側の表面に形成されて指示体の接触を検出する検出体
を具備する請求項１から請求項３の何れかの表示装置。
【請求項５】
請求項１から請求項４の何れかの表示装置を具備する電子機器。
【発明の詳細な説明】
【技術分野】
【０００１】
本発明は、発光層や液晶層などの電気光学層を利用して画像を表示する技術に関する。
【背景技術】
【０００２】
電気光学層の背面側に形成された反射層での反射光を観察側に出射させて表示に利用する表示体においては、観察側から表示体に入射した外光が反射層で反射して観察側に出射し、表示体の観察側の景色が本来の画像に重畳される（背景が映り込む）という問題がある。特許文献１には、表示体を構成する基板の観察側の表面に貼着された円偏光板で背景の映り込みを抑制する技術が開示されている。
【特許文献１】特開２００４−３５５９８８号公報
【発明の開示】
【発明が解決しようとする課題】
【０００３】
しかし、特許文献１の技術においては、外部の物体（例えば利用者の手指）の接触によって円偏光板が損傷し易いという問題がある。また、表示体の基板に円偏光板が貼着されるため、表示体の内部で発生した熱が伝達することで円偏光板の特性（例えば位相差や偏光度）が低下するという問題もある。以上の事情に鑑みて、本発明は、円偏光板などの反射防止体について外部の物体の接触による損傷や加熱による特性の劣化を抑制するという課題の解決をひとつの目的としている。
【課題を解決するための手段】
【０００４】
以上の課題を解決するために、本発明に係る表示装置は、電気光学層からの出射光を観察側に反射する光反射層が表示領域内に形成された表示体と、表示体の表面から離間した位置に配置されて表示領域に対向する光透過性の保護基板と、保護基板のうち表示体との対向面に貼着されて（すなわち保護基板の表面に密着した状態に接合されて）表示体の表面から離間する板材であって、観察側から入射して光反射層で反射した外光の観察側への出射を抑制する反射防止体とを具備する。以上の構成においては、反射防止体における表示体とは反対側に保護基板が位置するから、外部の物体の接触に起因した反射防止体の損傷の可能性が低減することができる。また、反射防止体は表示体から離間した位置に配置されるから、反射防止体が表示体と密着する構成と比較して、表示体で発生した熱が反射防止体に伝達し難い。したがって、加熱に起因した反射防止体の劣化を抑制することができる。本発明に係る表示装置は各種の電子機器に採用される。
【０００５】
本発明の好適な態様に係る表示装置は、反射防止体の表面および表示体における反射防止体との対向面のうちの少なくともひとつに形成されたＡＲ（Anti-Reflection）コート層や、反射防止体の表面と表示体における反射防止体との対向面との間隙に充填された光透過性の充填材を具備する。ＡＲコート層や充填材を設置した構成によれば、表示体の観察側の表面や反射防止板の表面における反射が抑制されるという利点がある。
【０００６】
利用者の手指や情報の入力のための器具（例えばタッチペン）といった指示体の接触を検出する検出体（例えば図５の検出電極層７４）が保護基板における表示体とは反対側の表面に形成された構成においては、指示体の接触に起因した損傷が発生し易い。保護基板における表示体との対向面に反射防止体を配置することで反射防止体の損傷が有効に抑制される本発明は、指示体が接触する構成の表示装置に特に好適である。
【発明を実施するための最良の形態】
【０００７】
＜Ａ：第１実施形態＞
図１は、本発明の第１実施形態に係る表示装置１００の構成を示す分解斜視図であり、図２は、表示装置１００の断面図である。図１および図２に示すように、表示装置１００は、表示体Ｄと支持基板３０と側部材４２と保護基板４４と反射防止体４６とを具備する平面型の構造体である。表示体Ｄは、略矩形状の表示領域Ａ内に面状に配列された複数の画素Ｐによって各種の画像を表示する。
【０００８】
図２に示すように、表示体Ｄは、光透過性の接着剤２５で接合された第１基板１０と第２基板２０とを具備する。第２基板２０は第１基板１０の観察側（すなわち表示体Ｄによる表示画像を視認する観察者側）に位置する。第１基板１０のうち第２基板２０との対向面には、各画素Ｐに対応する複数の光反射層１１が相互に離間して配列する。各光反射層１１は、光反射性の材料（例えばアルミニウム）で形成された膜体である。なお、光反射層１１が表示領域Ａの全域にわたって連続する構成も採用される。
【０００９】
第１基板１０の表面には、各光反射層１１を覆う光透過性の絶縁層１２が形成される。絶縁層１２の表面には、各画素Ｐに対応した複数の第１電極１４が相互に離間して形成される。各第１電極１４は、ＩＴＯ（Indium Tin Oxide）に代表される光透過性の導電材料で形成された電極である。図２に示すように、第１基板１０に垂直な方向からみて光反射層１１と第１電極１４とは重なる。
【００１０】
絶縁層１２の表面には隔壁層（バンク層）１３が形成される。隔壁層１３は、第１基板１０の表面上の空間を画素Ｐ毎に仕切る格子状の絶縁層である。隔壁層１３の内周面に包囲されて第１電極１４を底面とする空間内には発光層１５が形成される。発光層１５は、有機ＥＬ（Electroluminescence）材料で形成された膜体である。隔壁層１３および発光層１５は第２電極１６に覆われる。第２電極１６は、複数の画素Ｐにわたって連続する光透過性の導電膜である。発光層１５は、第１電極１４（陽極）および第２電極１６（陰極）から付与される電気エネルギに応じた光量の白色光を放射する。発光層１５から観察側への出射光と光反射層１１における反射光とが第２電極１６を透過して観察側に出射することで各種の画像が表示される。第１基板１０上の各要素は光透過性の封止体１７によって封止される。
【００１１】
第２基板２０は、第１基板１０との対向面に遮光層２１および複数の着色層２２（２２R，２２G，２２B）が形成された光透過性の板材である。遮光層２１は、各画素Ｐに対応した領域（第１電極１４や光反射層１１に重なる領域）が開口する格子状に成形されて各画素Ｐの間隙を遮光する。各着色層２２は、複数の表示色（赤色(２２R)，緑色(２２G)，青色(２２B)）の何れかに着色された光透過性の膜体であって遮光層２１の各開口の内側に形成される。したがって、複数の着色層２２は表示領域Ａ内に面状に配列する。発光層１５からの出射光が各着色層２２を透過したうえで観察側に出射することで観察者はカラー画像を知覚する。
【００１２】
図１および図２の支持基板３０は、表示体Ｄの第１基板１０や第２基板２０よりも大型の矩形状に成形された遮光性の板材である。第１基板１０の背面側の表面と支持基板３０の表面との間に介挿された両面テープ３４によって、表示体Ｄは支持基板３０の表面に接合される。
【００１３】
側部材４２は、略長方形の枠状に成形された遮光性の部材である。図１に示すように、側部材４２は、複数のネジ３２によって支持基板３０の観察側の表面に固定される。また、図２に示すように、表示体Ｄの側面と側部材４２の内周面とが対向（接触）するように表示体Ｄは側部材４２の内側に配置される。以上のように表示体Ｄは遮光性の側部材４２によって包囲されるから、表示装置１００に対する側方からの照射光は側部材４２によって遮光されて表示体Ｄには入射しない。したがって、本形態によれば、表示体Ｄに側方から光が入射する構成と比較して、表示画像のコントラストを高い水準に維持することが可能である。
【００１４】
保護基板４４は、支持基板３０と略同寸法の矩形状に成形された光透過性の板材である。保護基板４４の背面側の表面における周縁の近傍と側部材４２の観察側の表面との間に介挿された枠状の両面テープ３６によって、保護基板４４は側部材４２に接合される。図２に示すように、側部材４２と両面テープ３６との厚さの和ＴAは表示体Ｄの厚さＴBよりも大きい。したがって、保護基板４４は、表示体Ｄ（第２基板２０）の観察側の表面から離間した位置に保持されて表示領域Ａに対向する。
【００１５】
反射防止体４６は、表示体Ｄ（第１基板１０や第２基板２０）と略同寸法の矩形状に成形された矩形状の板材である。反射防止体４６は、保護基板４４のうち表示体Ｄとの対向面（背面側の表面）に密着した状態となるように例えば接着剤で貼着される。図２に示すように、側部材４２および両面テープ３６の厚さＴAと表示体Ｄの厚さＴBとの差異は反射防止体４６の厚さよりも大きいから、反射防止体４６は、表示体Ｄの観察側の表面から離間した位置に保持されて表示領域Ａの全域に対向する。したがって、図２に示すように、反射防止体４６の表面と表示体Ｄの表面との間には、側部材４２で包囲された空間Ｖが介在する。
【００１６】
図２に示すように、本形態の反射防止体４６は、保護基板４４の背面側の表面に貼着された偏光板４６１と偏光板４６１の表面に貼着された位相差板４６２とで構成された円偏光板である。したがって、観察側から表示装置１００に外光が入射して光反射層１１の表面で反射した場合であっても、当該反射光の観察側への出射は反射防止体４６によって抑制される。
【００１７】
以上に説明した表示装置１００は、例えば以下の第１工程から第３工程を経て作成される。第１工程では、表示体Ｄが両面テープ３４によって支持基板３０の表面に接合される。第２工程では、反射防止体４６が保護基板４４の表面に例えば接着剤で貼着され、保護基板４４が両面テープ３６によって側部材４２に接合される。第１工程および第２工程に続く第３工程では、支持基板３０と側部材４２とが複数のネジ３２によって相互に固定される。なお、第１工程と第２工程との順序は任意である。また、第２工程においては、保護基板４４を側部材４２に接合してから反射防止体４６を保護基板４４に貼着してもよい。
【００１８】
以上に説明したように、本形態においては、保護基板４４における表示体Ｄとの対向面に反射防止体４６が貼着される。すなわち、反射防止体４６の観察側に位置する保護基板４４によって反射防止体４６は保護される。したがって、外部の物体の接触に起因した反射防止体４６の損傷の可能性を低減することができる。また、本形態においては反射防止体４６と表示体Ｄとが空間Ｖを挟んで離間するから、反射防止体４６と表示体Ｄとが密着する構成と比較して、表示体Ｄにて発生した熱が反射防止体４６に伝達し難い。したがって、加熱に起因した反射防止体４６の劣化（偏光板４６１の偏光度や位相差板４６２の位相差の変化）を抑制できるという利点がある。
【００１９】
ところで、保護基板４４の背面側に反射防止体４６を配置する構成としては、例えば、保護基板４４から背面側に離間した位置に反射防止体４６を設置した構成（例えば保護基板４４から離間した位置で反射防止体４６を側部材４２に固定する構成）も考えられる。しかし、反射防止体４６が保護基板４４から離間する構成においては、反射防止体４６の機械的な強度を確保することが困難であるために反射防止体４６が変形（湾曲）するという問題や、反射防止体４６を側部材４２に固定する作業が煩雑化するという問題がある。これに対して、反射防止体４６の貼着によって反射防止体４６と保護基板４４とが密着する本形態の構成によれば、反射防止体４６の機械的な強度が保護基板４４によって補強されることで反射防止体４６の変形が抑制され、さらには保護基板４４に対する貼着という簡便な作業で反射防止体４６を設置できるという利点がある。
【００２０】
＜Ｂ：第２実施形態＞
次に、本発明の第２実施形態について説明する。なお、以下の各形態において作用や機能が第１実施形態と同等である要素については、以上と同じ符号を付して各々の詳細な説明を適宜に省略する。
【００２１】
図３は、本発明の第２実施形態に係る表示装置１００の構成を示す断面図である。同図に示すように、表示装置１００の要素のうち空気に接触する表面には、当該表面での反射を抑制するＡＲコート層７０（７０A，７０B，７０C）が形成される。さらに詳述すると、保護基板４４の観察側の表面にはＡＲコート層７０Aが形成される。また、反射防止体４６における表示体Ｄとの対向面にはＡＲコート層７０Bが形成され、表示体Ｄ（第２基板２０）における反射防止体４６との対向面にはＡＲコート層７０Cが形成される。
【００２２】
第１実施形態の構成においては反射防止体４６の表面や表示体Ｄの観察側の表面が空間Ｖ内の空気と接触するから、当該表面にて発光層１５からの出射光が反射し易い。これに対して本形態においては、反射防止体４６の表面や表示体Ｄの観察側の表面における反射がＡＲコート層７０（７０B，７０C）によって抑制されるから、発光層１５からの出射光の利用効率を高めることが可能である。また、保護基板４４の表面にもＡＲコート層７０Aが形成されるから、当該表面での反射に起因した背景の映り込みが有効に防止されるという利点がある。
【００２３】
＜Ｃ：第３実施形態＞
図４は、本発明の第３実施形態に係る表示装置１００の構成を示す断面図である。同図に示すように、反射防止体４６と表示体Ｄと側部材４２の内周面とで包囲された空間Ｖには光透過性の充填材７２が封入される。充填材７２は、例えば樹脂材料で形成される。充填材７２の屈折率は、反射防止体４６および第２基板２０の少なくとも一方の屈折率と略同等である。
【００２４】
以上の構成によれば、空間Ｖに空気が存在する第１実施形態と比較して、空間Ｖの内部と反射防止体４６または第２基板２０との屈折率の差異が低減されるから、反射防止体４６の表面や表示体Ｄの観察側の表面における光反射が抑制される。したがって、第２実施形態におけるＡＲコート層７０Bおよび７０Cを省略した構成にも拘わらず、発光層１５からの出射光の反射を抑制して利用効率を高めることが可能である。なお、図４の構成に図３のＡＲコート層７０Bおよび７０Cを設けてもよい。
【００２５】
＜Ｄ：第４実施形態＞
図５は、第４実施形態に係る表示装置１００の構成を示す断面図である。同図に示すように、本形態の保護基板４４は、観察側の表面に検出電極層７４が形成されたタッチパネルである。検出電極層７４は、利用者の手指や入力用の器具（例えばタッチペン）といった各種の指示体の接触を検出するための検出体である。指示体の接触を検出するための方法としては、抵抗膜方式や静電容量方式や光学方式など公知の技術が任意に採用される。検出電極層７４の表面には第２実施形態と同様のＡＲコート層７０Aが形成され、反射防止体４６と表示体Ｄとの間隙の空間Ｖには第３実施形態と同様の充填材７２が封止される。
【００２６】
表示装置１００がタッチパネルの機能を具備する構成のもとでは表示装置１００の観察側の表面に指示体が接触するから、特許文献１のように円偏光板を最上層に配置した構成においては、指示体の接触に起因して円偏光板が特に損傷し易い。本形態においては保護基板４４の背面側に反射防止体４６が貼着されるから、指示体の接触に起因した反射防止体４６の損傷が有効に防止される。すなわち、保護基板４４の背面側に反射防止体４６を貼着した本発明の構成は、指示体が随時に接触するタッチパネル（保護基板４４）を備えた表示装置にとって格別に有効である。さらに、本形態においては空間Ｖに充填材７２が封止されるから、空間Ｖに空気のみが存在する構成と比較して、保護基板４４の過度の変形が抑制されるとともに保護基板４４に作用する衝撃が充填材７２によって吸収されるという利点がある。
【００２７】
＜Ｅ：変形例＞
以上の各形態には様々な変形を加えることができる。具体的な変形の態様を例示すれば以下の通りである。なお、以下の例示から２以上の態様を任意に選択して組合わせてもよい。
【００２８】
（１）変形例１  
以上の各形態においては表示体Ｄと略同寸法の反射防止体４６を例示したが、表示体Ｄよりも小面積の反射防止体４６を採用してもよい。ただし、背景の映り込みを確実に防止するという観点からすると、観察側からみて表示領域Ａの全体と対向するように反射防止体４６の寸法を選定した構成が好適である。
【００２９】
（２）変形例２  
防汚性および耐損傷性を備えたハードコート層を保護基板４４の観察側の表面に形成してもよい。第４実施形態の構成においては指示体の接触跡（利用者の手指の指紋）の付着や指示体の接触による損傷が特に発生し易いから、保護基板４４にハードコート層を形成した構成は格別に好適である。
【００３０】
（３）変形例３  
有機ＥＬ材料の発光層１５は電気光学層の例示に過ぎない。以上の各形態の表示装置１００に適用される電気光学層について、自身が発光する自発光型と外光の透過率を変化させる非発光型（例えば液晶素子）との区別や、電流の供給によって駆動される電流駆動型と電圧の印加によって駆動される電圧駆動型との区別は不問である。無機ＥＬ材料の発光層、液晶層や電気泳動層など各種の電気光学層が本発明の表示装置に利用される。すなわち、電気光学層は、電気エネルギの供給（例えば電流の供給や電圧の印加）によって輝度や透過率といった光学的な特性が変化する部分として定義される。
【００３１】
＜Ｆ：応用例＞
次に、本発明に係る表示装置を利用した電子機器について説明する。図６ないし図８には、以上に説明した何れかの形態に係る表示装置１００を採用した電子機器の形態が図示されている。
【００３２】
図６は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００３３】
図７は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００３４】
図８は、表示装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００３５】
なお、本発明に係る表示装置が適用される電子機器としては、図６から図８に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器、自動車の車載計器（インパネ）などが挙げられる。
【図面の簡単な説明】
【００３６】
【図１】本発明の第１実施形態に係る表示装置の分解斜視図である。
【図２】表示装置の断面図である。
【図３】本発明の第２実施形態に係る表示装置の断面図である。
【図４】本発明の第３実施形態に係る表示装置の断面図である。
【図５】本発明の第４実施形態に係る表示装置の断面図である。
【図６】本発明に係る電子機器の形態（パーソナルコンピュータ）を示す斜視図である。
【図７】本発明に係る電子機器の形態（携帯電話機）を示す斜視図である。
【図８】本発明に係る電子機器の形態（携帯情報端末）を示す斜視図である。
【符号の説明】
【００３７】
Ｄ……表示体、１０……第１基板、１１……光反射層、１２……絶縁層、１３……隔壁層、１４……第１電極、１５……発光層、１６……第２電極、１７……封止体、２０……第２基板、２１……遮光層、２２（２２R，２２G，２２B）……着色層、３０……支持基板、３２……ネジ、３４，３６……両面テープ、４２……側部材、４４……保護基板、４６……反射防止体、４６１……偏光板、４６２……位相差板、７０（７０A，７０B，７０C）……ＡＲコート層、７２……充填材、７４……検出電極層、Ａ……表示領域、Ｖ……空間。
【図１】
2009020140.tif 000003
【図２】
2009020140.tif 000004
【図３】
2009020140.tif 000005
【図４】
2009020140.tif 000006
【図５】
2009020140.tif 000007
【図６】
2009020140.tif 000008
【図７】
2009020140.tif 000009
【図８】
2009020140.tif 000010